(57)【要約】【課題】梱包材及び養生材となる保護シート付き踏板材を、前記保護シートによって適切に保護された状態で階段の踏板として設置可能とすると共に、前記保護シートを建築作業終了後は踏板となった踏板材から容易に取り去り可能とする。【解決手段】階段Ｓの踏板Ｓａを構成する踏板材２と、少なくとも、前記踏板材２の表面２ａに対する第一保護面部３ａと、折線を介して前記第一保護面部３ａに連続された前記踏板材２の前端面２ｃに対する第二保護面部３ｂとを備えた保護シート３とを備える。前記保護シート３の前記第一保護面部３ａの裏面３’には、前記第一保護面部３ａの縁部との間に間隔６を開けて防滑面４が形成されていると共に、前記間隔６に前記防滑面４を囲繞するように吸着面５を形成させてなる。【選択図】図４
2020193498.tif 000002
【特許請求の範囲】
【請求項１】
階段の踏板を構成する踏板材と、
少なくとも、前記踏板材の表面に対する第一保護面部と、折線を介して前記第一保護面部に連続された前記踏板材の前端面に対する第二保護面部とを備えた保護シートとを備えてなり、
前記保護シートの前記第一保護面部の裏面には、前記第一保護面部の縁部との間に間隔を開けて防滑面が形成されていると共に、前記間隔に前記防滑面を囲繞するように吸着面を形成させてなる、保護シート付き踏板材。
【請求項２】
前記保護シートが、折線を介して前記第二保護面部に前記第一保護面部との連続側と反対の側において連続された前記踏板材の裏面に対する第三保護面部を備えてなる、請求項１に記載の保護シート付き踏板材。
【請求項３】
前記保護シートが、折線を介して前記第一保護面部に前記第二保護面部との連続側と反対の側において連続された前記踏板材の裏面側に折り込み可能な第四保護面部を備えてなる、請求項２に記載の保護シート付き踏板材。
【請求項４】
前記第四保護面部と前記第一保護面部との間の折線を、前記保護シートの裏面側からのハーフカット又は押し筋によって形成させてなる、請求項３に記載の保護シート付き踏板材。
【請求項５】
前記第二保護面部に付された中間折線を利用して、前記第二保護面部を二つ折りにすると共に、前記第一保護面部に前記第三保護面部を重ね合わせ可能としてなる、請求項１〜請求項４のいずれか１項に記載の保護シート付き踏板材。
【請求項６】
前記防滑面を、前記保護シートに防滑紙を貼着させて形成させてなる、請求項１〜請求項４のいずれか１項に記載の保護シート付き踏板材。
【請求項７】
前記吸着面を、前記保護シートに一面を吸着面とした吸着テープの他面を貼着させて形成させてなる、請求項１〜請求項４のいずれか１項に記載の保護シート付き踏板材。
【発明の詳細な説明】
【技術分野】
【０００１】
この発明は、現場施工によって階段の踏板（段板）となるプレカットの踏板材に、梱包材としての機能と現場施工時の養生材としての機能とを備えた保護シートを付設させてなる、保護シート付き踏板材に関する。
【背景技術】
【０００２】
階段の踏板の梱包材における踏板表面を覆う箇所に表面養生材を貼着すると共に、踏板前面を覆う箇所に前面養生材を貼着しておき、階段の施工終了後、切断した前記梱包材によって、設置された踏板の踏板表面と踏板前面とを前記梱包材における表面養生材の貼着部分と前面養生材の貼着部分とで覆うようにしたものとして、特許文献１に示されるものがある。
【０００３】
しかるに、前記特許文献１のものは、梱包材が設置された踏板の養生材を兼ねるものであるが、設置にあたっては、梱包材の切断を要すると共に、別途用意される接着テープによって踏板側に固定することを要するものであった。
【先行技術文献】
【特許文献】
【０００４】
【特許文献１】特開２００１−２１５８号公報
【発明の概要】
【発明が解決しようとする課題】
【０００５】
この発明が解決しようとする主たる問題点は、この種の梱包材及び養生材となる保護シート付き踏板材を、前記保護シートによって適切に保護された状態で階段の踏板として設置可能とすると共に、前記保護シートを建築作業終了後は踏板となった踏板材から容易に取り去り可能とする点にある。
【課題を解決するための手段】
【０００６】
前記課題を達成するために、この発明にあっては、保護シート付き踏板材を、階段の踏板を構成する踏板材と、
少なくとも、前記踏板材の表面に対する第一保護面部と、折線を介して前記第一保護面部に連続された前記踏板材の前端面に対する第二保護面部とを備えた保護シートとを備えてなり、
前記保護シートの前記第一保護面部の裏面には、前記第一保護面部の縁部との間に間隔を開けて防滑面が形成されていると共に、前記間隔に前記防滑面を囲繞するように吸着面を形成させてなる、ものとした。
【０００７】
踏板として設置される踏板材の表面は、保護シートの第一保護面部によって覆われ、前端面は第二保護面部によって覆われ、かつ、保護シートは第一保護面部の吸着面によって踏板材の表面に吸着されていることから、かかる保護シートによって建築作業が終了するまでの間、踏板の意匠面を損傷・汚損から安定的に保護することができる。吸着面は、第一保護面部において防滑面を囲繞するように形成されており、吸着面を第一保護面部の全体に形成させた場合に比べ、保護シートを容易に踏板材から取り外すことが可能となる。これにより、階段施工前の検品時の一時的な保護シートの取り外しや、建築作業終了後においての保護シートの除去作業の円滑化が図られる。その一方で、前記防滑面によって、保護シートのズレを抑止することができ、踏板材に対し所期の位置に保護シートを吸着させた養生状態は安定的に確保される。また、吸着面は、防滑面を囲繞するように形成されていることから、建築作業が終了するまでの間、第一保護面部の防滑面と踏板材の表面との間に木くずや塵埃などが入り込んで、踏板材上の作業者の歩行などによって踏板材の表面を損傷させる原因となるような事態は可及的に防止される。
【０００８】
前記保護シートが、折線を介して前記第二保護面部に前記第一保護面部との連続側と反対の側において連続された前記踏板材の裏面に対する第三保護面部を備えるようにしておくことが、この発明の態様の一つとされる。
【０００９】
また、前記保護シートが、折線を介して前記第一保護面部に前記第二保護面部との連続側と反対の側において連続された前記踏板材の裏面側に折り込み可能な第四保護面部を備えようにしておくことが、この発明の態様の一つとされる。
【００１０】
また、前記第四保護面部と前記第一保護面部との間の折線を、前記保護シートの裏面側からのハーフカット又は押し筋によって形成させようにしておくことが、この発明の態様の一つとされる。
【００１１】
また、前記第二保護面部に付された中間折線を利用して、前記第二保護面部を二つ折りにすると共に、前記第一保護面部に前記第三保護面部を重ね合わせ可能にしておくことが、この発明の態様の一つとされる。
【００１２】
また、前記防滑面を、前記保護シートに防滑紙を貼着させて形成させるようにしておくことが、この発明の態様の一つとされる。
【００１３】
また、前記吸着面を、前記保護シートに一面を吸着面とした吸着テープの他面を貼着させて形成させるようにしておくことが、この発明の態様の一つとされる。
【発明の効果】
【００１４】
この発明によれば、保護シート付き踏板材を、前記保護シートによって適切に保護された状態で階段の踏板として設置可能なものとすると共に、前記保護シートを建築作業終了後は踏板となった踏板材から容易に取り去り可能なものとすることができる。
【図面の簡単な説明】
【００１５】
【図１】図１は、階段の直段板部分を構成する保護シート付き踏板材（第一例）を構成する保護シートと踏板材を分離して示した斜視構成図である。
【図２】図２は、前記第一例の保護シートを裏面から見た斜視構成図である。
【図３】図３は、前記第一例の斜視構成図である。
【図４】図４は、図３におけるＡ−Ａ位置での断面図である。
【図５】図５は、前記第一例にかかる複数の保護シート付き踏板材をまとめて梱包する際に利用される保護カバーと前記複数の保護シート付き踏板材とを分離して表した斜視構成図である。
【図６】図６は、前記第一例にかかる複数の保護シート付き踏板材をまとめて梱包した状態を示した斜視構成図である。
【図７】図７は、前記第一例の保護シート付き踏板材を階段施工において設置する際に保護シートを養生材として機能させるための保護シートの開梱操作手順を示した側面構成図である。
【図８】図８は、前記第一例の保護シート付き踏板材を踏板として施工された階段の要部斜視構成図である。
【図９】図９は、廻り階段の折り返し部分を構成する保護シート付き踏板材（下段／第二例）を構成する保護シートと踏板材を分離して示した斜視構成図である。
【図１０】図１０は、前記第二例の保護シートを裏面から見た斜視構成図である。
【図１１】図１１は、前記第二例の斜視構成図である。
【図１２】図１２は、図１１におけるＢ−Ｂ位置での断面図である。
【図１３】図１３は、廻り階段の折り返し部分を構成する保護シート付き踏板材（中段／第三例）の斜視構成図である。
【図１４】図１４は、廻り階段の折り返し部分を構成する保護シート付き踏板材（上段／第四例）の斜視構成図である。
【図１５】図１５は、前記第二例〜第四例にかかる保護シート付き踏板材をまとめて梱包する際に利用される保護カバーと前記前記第二例〜第四例の保護シート付き踏板材とを分離して表した斜視構成図である。
【図１６】図１６は、前記第二例〜第四例にかかる保護シート付き踏板材をまとめて梱包した状態を示した斜視構成図である。
【図１７】図１７は、前記第二例の保護シート付き踏板材を階段施工において設置する際に保護シートを養生材として機能させるための保護シートの開梱操作手順を示した側面構成図である。
【図１８】図８は、前記第二例の保護シート付き踏板材を踏板として施工された階段の要部斜視構成図であり、なお、その上段に位置する前記第三例の保護シート付き踏板材の保護シートの記載は省略している。
【発明を実施するための形態】
【００１６】
以下、図１〜図１８に基づいて、この発明の典型的な実施の形態について、説明する。この実施の形態にかかる保護シート付き踏板材１は、現場施工によって階段Ｓの踏板Ｓａ（段板）となるプレカットの踏板材２に、梱包材としての機能と現場施工時の養生材としての機能とを備えた保護シート３を付設させたものである。
【００１７】
保護シート３は、現場施工までの間の保管・運搬時には梱包材として機能する。踏板材２は、保護シート３によって保護された状態で、階段Ｓの踏板Ｓａとして設置され、現場施工時は建築作業が終了するまでの間、踏板Ｓａの意匠面を損傷・汚損から保護する。また、保護シート３は、建築作業終了後、踏板Ｓａとなった踏板材２から容易に取り去ることが可能となっている。
【００１８】
保護シート３としては、段ボール、板紙などの厚手の紙材や、合成樹脂製のシートを用いることができる。
【００１９】
（階段Ｓの直段板部分を構成する保護シート付き踏板材１）
図１〜図８は、階段Ｓの直段板部分を構成する保護シート付き踏板材１を示している。踏板材２は、長方形状の表面２ａ及び裏面２ｂと、その厚さ方向の面となる前端面２ｃ、後端面２ｄ、左端面２ｅ及び右端面２ｆとを備えている。
【００２０】
一方、保護シート３は、以下の第一〜第四保護面部３ａ〜３ｄを備えている。以下の第一〜第四保護面部３ａ〜３ｄは、いずれも四角形状を呈している。
（１）前記踏板材２の表面２ａに対する第一保護面部３ａ
（２）折線（以下、第一折線３ｅと称する。）を介して前記第一保護面部３ａに連続された前記踏板材２の前端面２ｃに対する第二保護面部３ｂ
（３）折線（以下、第二折線３ｆと称する。）を介して前記第二保護面部３ｂに対して前記第一保護面部３ａとの連続側と反対の側において連続された前記踏板材２の裏面２ｂに対する第三保護面部３ｃ
（４）折線（以下、第三折線３ｇと称する。）を介して前記第一保護面部３ａに対して前記第二保護面部３ｂとの連続側と反対の側において連続された前記踏板材２の裏面２ｂ側に折り込み可能な第四保護面部３ｄ
【００２１】
図３に示されるように、保護シート３の左右方向ｘの寸法は、踏板材２の左右方向ｘの寸法よりも、やや短くなっている。
【００２２】
また、図１に示されるように、展開状態（保護シート３を折らずに平面化した状態）にした保護シート３の前後方向ｙの寸法は、踏板材２の前後方向ｙの寸法の二倍となる寸法と踏板材２の厚さ方向の寸法の二倍となる寸法の和よりも、やや大きくなっている。
【００２３】
具体的には、第一保護面部３ａの前後方向ｙの寸法と第三保護面部３ｃの前後方向ｙの寸法は実質的に等しく、かつ、踏板材２の前後方向ｙの寸法よりもやや小さくなっている。
第一保護面部３ａは、第二保護面部３ｂとの間の第一折線３ｅを踏板材２の表面２ａと前端面２ｃとの間の上側角２ｇに沿わせた状態で踏板材２の表面２ａに後述の吸着面５をもって貼り付けられる。
第一保護面部３ａと第四保護面部３ｄとの間の第三折線３ｇは踏板材２の表面２ａと後端面２ｄとの間の上側角２ｈよりもやや前方に位置される（図４参照）。
第二保護面部３ｂの前後方向ｙの寸法は踏板材２の厚さ寸法と実質的に等しくなっている。
第二保護面部３ｂの前後方向ｙ中程の位置には、この第二保護面部３ｂを上下に二分する中間折線３ｈが付されている。
第四保護面部３ｄには、第三折線３ｇと第四保護面部３ｄの端末との間に第四折線３ｉと第五折線３ｊが付されている。この第四折線３ｉと第五折線３ｊとの間の前後方向ｙの寸法は踏板材２の厚さ方向の寸法と実質的に等しくなっている。
【００２４】
前記第一〜第五折線３ｅ〜３ｊは、いずれも保護シート３の左右方向ｘに亘って保護シート３に形成されている。また、前記第一〜第五折線３ｅ〜３ｊは、保護シート３に、ハーフカット、押し筋（罫線）、ミシン目など、その箇所で保護シート３を折り曲げやすくする各種の線状の加工を保護シート３に施すことで形成される。
【００２５】
また、前記保護シート３の裏面３’の一部となる前記第一保護面部３ａの裏面には、前記第一保護面部３ａの縁部との間に間隔６を開けて防滑面４が形成されていると共に、前記間隔６に前記防滑面４を囲繞するように吸着面５を形成されている。
【００２６】
図示の例では、防滑面４は、第一保護面部３ａよりも小さい四角形の輪郭を備えたものとなっている（図２参照）。防滑面４の各辺と、第一保護面部３ａの縁部との間には、間隔６が形成されている。すなわち、第一保護面部３ａの第一折線３ｅ側の辺となる縁部、第一保護面部３ａの第三折線３ｇ側の辺となる縁部、第一保護面部３ａの左側の辺となる縁部、および、第一保護面部３ａの右側の辺となる縁部と、防滑面４との間には、この防滑面４を巡るいずれの箇所においても間隔６が形成されている。これにより、第一保護面部３ａの裏面には四角形の防滑面４と、これを巡る方形枠状の間隔６が形成されている。
【００２７】
この実施の形態にあっては、前記防滑面４を、前記保護シート３に防滑紙４ａを貼着させて形成させている。防滑紙４ａは、紙にコーティングをするなどして紙の表面の摩擦係数を高めこの紙上での滑りを生じ難くしたものである。この実施の形態にあっては、第一保護面部３ａより小さい四角形の輪郭を備えるように形成した防滑紙４ａの一面を第一保護面部３ａの裏面に前記のような間隔６が形成されるように接着することで、前記防滑面４を形成させている。
【００２８】
一方、図示の例では、吸着面５は、帯状をなし、前記方形枠状の間隔６に形成されれている。吸着面５は、防滑面４を囲繞するように形成されており、吸着面５も全体として方形枠状を呈している。吸着面５は、微細な吸盤として機能する凹部を備え、踏板材２の表面２ａに押しつけられたとき、この表面２ａに吸着するようになっている。
【００２９】
この実施の形態にあっては、前記吸着面５を、前記保護シート３に一面を吸着面５とした吸着テープ５ａの他面を接着により貼着させて形成させている。
【００３０】
踏板材２に対し、保護シート３を以下のように組み合わせることで、保護シート３による踏板材２の梱包がなされる。
（１）第一保護面部３ａを、第一折線３ｅを踏板材２の表面２ａと前端面２ｃとの間の上側角２ｇに沿わせた状態で踏板材２の表面２ａに吸着面５をもって貼り付ける。
（２）保護シート３を第一折線３ｅにおいて折り曲げ、第二保護面部３ｂが踏板材２の前端面２ｃを覆うようにする。
（３）保護シート３を第二折線３ｆにおいて折り曲げ、第三保護面部３ｃが踏板材２の裏面２ｂを覆うようにする。
（４）保護シート３を第四折線３ｉにおいて折り曲げ、さらに、第五折線３ｊで折り曲げ、第四保護面部３ｄが踏板材２の後端面２ｄを覆うようにすると共に、第四保護面部３ｄにおける第五折線３ｊより先となる部分が踏板材２の裏面２ｂ側に入り込むようにする。
【００３１】
前記のように展開状態にした保護シート３の前後方向ｙの寸法は、踏板材２の前後方向ｙの寸法の二倍となる寸法と踏板材２の厚さ方向の寸法の二倍となる寸法の和よりも、やや大きくなっていることから、踏板材２の裏面２ｂにおいて第三保護面部３ｃに第四保護面部３ｄが重なり合うようになっている（図４参照）。
【００３２】
また、前記のように、保護シート３の左右方向ｘの寸法は、踏板材２の左右方向ｘの寸法よりも、やや短くなっていることから、図示の例では、保護シート３によって、踏板材２はその左右両端部以外の箇所を梱包されるようになっている。
【００３３】
図示の例では、以上のように保護シート３によって梱包された踏板材２を、同じ向きで複数重ね合わせた状態で、具体的には、各踏板材２の長さ側の辺及び幅側の辺がそれぞれ仮想の一つの鉛直面上に位置するようにし、かつ、上下に隣り合う踏板材２における下側の踏板材２の表面２ａ側が上側の踏板材２の裏面２ｂ側に向き合うように重ね合わせた状態で、このように重ね合わせた踏板材２の左右両端部にそれぞれ保護カバー７を取り付け、この保護カバー７と前記保護シート３とによって前記のように重ね合わせた踏板材２の全体を覆うようにしている（図５及び図６参照）。図６中、符号８で示すのは、結束バンドである。
【００３４】
施工現場においては、前記のように梱包された複数の踏板材２の結束バンド８による結束を解き、保護カバー７を外して、踏板材２を用いた階段Ｓの施工が行われる。
【００３５】
階段施工にあたっては、第三折線３ｇに折れを生じさせながら、この第三折線３ｇをヒンジとするようにして第四保護面部３ｄを踏板材２の表面２ａ側に立ち上げる（図７（ａ）から（ｂ））。次いで、中間折線３ｈに折れを生じさせながら第二保護面部３ｂを二つ折りにし（図７（ｂ）から（ｃ））、かつ、第三保護面部３ｃを第一保護面部３ａ上に重ね合わせる（図７（ｄ））。この状態で、踏板材２を設置する。かかる設置により、踏板材２は階段Ｓを構成する踏板Ｓａとなる。
【００３６】
このように設置される踏板材２の表面２ａは、保護シート３の第一保護面部３ａによって覆われ、前端面２ｃは第二保護面部３ｂによって覆われ、かつ、保護シート３は第一保護面部３ａの吸着面５によって踏板材２の表面２ａに吸着されていることから、かかる保護シート３によって建築作業が終了するまでの間、踏板Ｓａの意匠面を損傷・汚損から安定的に保護することができる。
【００３７】
吸着面５は、第一保護面部３ａにおいて防滑面４を囲繞するように形成されており、吸着面５を第一保護面部３ａの全体に形成させた場合に比べ、保護シート３を容易に踏板材２から取り外すことが可能となる。これにより、階段施工前の検品時の一時的な保護シート３の取り外しや、建築作業終了後においての保護シート３の除去作業の円滑化が図られる。その一方で、前記防滑面４によって、保護シート３のズレを抑止することができ、踏板材２に対し所期の位置に保護シート３を吸着させた養生状態は安定的に確保される。また、吸着面５は、防滑面４を囲繞するように形成されていることから、建築作業が終了するまでの間、第一保護面部３ａの防滑面４と踏板材２の表面２ａとの間に木くずや塵埃などが入り込んで、踏板材２上の作業者の歩行などによって踏板材２の表面２ａを損傷させる原因となるような事態は可及的に防止される。また、前記のように立ち上げられる第四保護面部３ｄによって階段Ｓを構成する蹴込み板Ｓｂを養生することが可能となる（図８参照）。
【００３８】
前記第二保護面部３ｂに付された中間折線３ｈを利用して、前記第二保護面部３ｂを二つ折りにすると共に、前記第一保護面部３ａに前記第三保護面部３ｃを重ね合わせ可能としていることから、建築作業が終了するまでの間、踏板材２の表面２ａ及び前端面２ｃの上側は、二層重ねの保護シート３により強固に保護される（図８参照）。
【００３９】
図示の例では、第三保護面部３ｃにおける自由端側に、第一保護面部３ａへの重ね合わせ状態において第一保護面部３ａの表面２ａに粘着される粘着テープ９が備えられており、この重ね合わせ状態を安定的に維持できるようになっている。図１中、符号９ａで示すのは、かかる粘着テープ９の使用前までその粘着面を覆う剥離シートである。
【００４０】
また、この実施の形態にあっては、前記第四保護面部３ｄと前記第一保護面部３ａとの間の第三折線３ｇを、前記保護シート３の裏面２ｂ側からのハーフカット又は押し筋によって形成させている。これにより、前記のように第三折線３ｇをヒンジとするようにして踏板材２の表面２ａ側に立ち上げられた第四保護面部３ｄを前記立ち上げ方向と逆向きに倒れさせる癖を第三折線３ｇに付与することができる。この結果、第四保護面部３ｄを蹴込み板Ｓｂに図８中符号１０で示す養生テープなどで固定しなくても、第四保護面部３ｄが蹴込み板Ｓｂに常時接してこれを養生する状態を作り出すことができるようになっている。
【００４１】
（廻り階段Ｓの折り返し部分を構成する保護シート付き踏板材１）
図９〜図１８は、廻り階段Ｓの折り返し部分を構成する保護シート付き踏板材１を示している。図示の例では、廻り階段Ｓにおける折り返し部分を三段としたときの踏板材２を示している。図１８中、符号Ｓｃは廻り階段Ｓの折り返し部の内周側であり、符号Ｓｄは外周側である。下段の踏板材２０（図９）及び上段の踏板材２１（図１４）は実質的に平面視台形状であり、中段の踏板材２２（図１３）は実質的に平面視五角形状である。
【００４２】
この例では、各踏板材２に対する保護シート３は、第一保護面部３ａと、第一折線３ｅを介して第一保護面部３ａに連続された第二保護面部３ｂと、第三折線３ｇを介して第二保護面部３ｂに対して第一保護面部３ａとの連続側と反対の側において連続された第三保護面部３ｃとを備えた構成となっている。
【００４３】
第一保護面部３ａ及び第三保護面部３ｃは、踏板材２の平面形状に実質的に倣った形状となっている。前記下段及び上段の踏板材２０、２１に対する保護シート３では第一保護面部３ａ及び第三保護面部３ｃは実質的に平面視直角三角形状であり、前記中段の踏板材２２に対する保護シート３では第一保護面部３ａ及び第三保護面部３ｃは実質的に平面視菱形状である。
【００４４】
各踏板材２に対する前記保護シート３の前記第一保護面部３ａの裏面には、前記第一保護面部３ａの縁部との間に間隔６を開けて防滑面４が形成されていると共に、前記間隔６に前記防滑面４を囲繞するように吸着面５が形成されている。
【００４５】
この例では、踏板材２に対し、保護シート３を以下のように組み合わせることで、保護シート３による踏板材２の梱包がなされる。
（１）第一保護面部３ａを、第一折線３ｅを踏板材２の表面２ａと前端面２ｃとの間の上側角２ｇに沿わせた状態で踏板材２の表面２ａに吸着面５をもって貼り付ける。
（２）保護シート３を第一折線３ｅにおいて折り曲げ、第二保護面部３ｂが踏板材２の前端面２ｃを覆うようにする。
（３）保護シート３を第二折線３ｆにおいて折り曲げ、第三保護面部３ｃが踏板材２の裏面２ｂを覆うようにする。
【００４６】
図示の例では、以上のように保護シート３によって梱包された踏板材２を、中段の踏板材２２を中央にして、この中段の踏板材２２を前記内周側Ｓｃとなる側から見た状態において、右側に下段の踏板材２０を位置させ、かつ、左側に上段の踏板材２１を位置させるようにすると共に、下段の踏板材２０の後端面２ｄと中段の踏板材２２の前端面２ｃとを突き合わせるようにし、かつ、中段の踏板材２２の後端面２ｄと上段の踏板材２１の前端面２ｃとを突き合わせるようにして、三枚の踏板材２によって平面視略正方形状の輪郭の盤状体１１を構成させて、三枚の踏板Ｓａ体を一組として運搬できるようにしている（図１５及び図１６参照）。図中、符号１２で示すのは、各踏板材２の後端面２ｄに対する幅方向断面断面略コ字状をなす長尺の保護カバーであり、図１６中、符号８で示すのは、結束バンドである。
【００４７】
図示の例では、さらに、前記盤状体１１の各辺はそれぞれ、幅方向断面略断面コ字状をなす長尺の保護カバー１３で覆われて、三枚の踏板材２の梱包がなされるようになっている。図示の例では、この保護カバー１３の屈曲内側を前方に向けるようにして、この保護カバー１３の下部を保護シート３の第一保護面部３ａの上に重ねられた第二保護面部３ｂに接しさせた状態でこの保護カバー１３の上部を養生テープ１０により蹴込み板Ｓｂに止着することで、この保護カバーによって階段Ｓを構成する蹴込み板ｓｂを養生できるようにしている。
【００４８】
なお、この例では、保護シート３における廻り階段Ｓの折り返し部分の内周側Ｓｃに位置される箇所には、図中、符号１４で示すミシン目が施されて、このミシン目１４を利用して保護シート３における前記内周側Ｓｃに位置される箇所の一部を分離して、踏板材２の前記内周側となる側の端部を保護シート３から露出させた状態で踏板材２の設置がなされるようになっている。
【００４９】
以上に説明した廻り階段Ｓの折り返し部分を構成する保護シート付き踏板材１のその余の構成は、階段Ｓの直段板部分を構成する保護シート付き踏板材１の構成と同一又は実質的に同一であるので、この同一又は実質的に同一の構成部分については、共通の符号を付してその説明は省略する。
【００５０】
なお、当然のことながら、本発明は以上に説明した実施形態に限定されるものではなく、本発明の目的を達成し得るすべての実施形態を含むものである。
【符号の説明】
【００５１】
Ｓ  階段
Ｓ’  廻り階段
Ｓａ  踏板
Ｓｂ  蹴込み板
Ｓｃ  内周側
Ｓｄ  外周側
１  保護シート付き踏板材
２  踏板材
２ａ  表面
２ｂ  裏面
２ｃ  前端面
２ｄ  後端面
２ｅ  左端面
２ｆ  右端面
２ｇ  上側角
２ｈ  上側角
３  保護シート
３’  裏面
３ａ  第一保護面部
３ｂ  第二保護面部
３ｃ  第三保護面部
３ｄ  第四保護面部
３ｅ  第一折線
３ｆ  第二折線
３ｇ  第三折線
３ｈ  中間折線
３ｉ  第四折線
３ｊ  第五折線
４  防滑面
４ａ  防滑紙
５  吸着面
５ａ  吸着テープ
６  間隔
７  保護カバー
８  結束バンド
９  粘着テープ
９ａ  剥離シート
１０  養生テープ
【図１】
2020193498.tif 000003
【図２】
2020193498.tif 000004
【図３】
2020193498.tif 000005
【図４】
2020193498.tif 000006
【図５】
2020193498.tif 000007
【図６】
2020193498.tif 000008
【図７】
2020193498.tif 000009
【図８】
2020193498.tif 000010
【図９】
2020193498.tif 000011
【図１０】
2020193498.tif 000012
【図１１】
2020193498.tif 000013
【図１２】
2020193498.tif 000014
【図１３】
2020193498.tif 000015
【図１４】
2020193498.tif 000016
【図１５】
2020193498.tif 000017
【図１６】
2020193498.tif 000018
【図１７】
2020193498.tif 000019
【図１８】
2020193498.tif 000020